(57)【要約】      （修正有）【課題】簡単な構造で従来より確実な防水効果が得られる、両開き扉を有する電気電子機器収納用キャビネットの防水構造を提供する。【解決手段】第１の扉端部は、キャビネット本体内方向にＶ形状に折り曲げ、キャビネット本体の前面開口部周辺の上下水切り部には、前記Ｖ形状に沿って凹成形を施し、該凹成形部に前記Ｖ形状に当接するパッキン１１を装着し、第１の扉１及び第２の扉２の内面には、前記水切り部５に当接するパッキン１２、１３を設け、更に第２の扉の内面には前記Ｖ形状の端部に当接するパッキン１５を設けた。【選択図】  図１
2008034763.tif 000002
【特許請求の範囲】
【請求項１】
キャビネット本体が水切り構造で、先に閉じる第１の扉と、後から閉じる第２の扉との重なり合う扉端部の構造が、第１の扉端部はキャビネット本体内方向にＶ形状に折り曲げ、
キャビネット本体の前面開口部周辺の水切り部は、前記第１の扉のＶ形状に沿った凹部を成形し、該凹部に前記Ｖ形状に当接するパッキンを装着し、第１の扉の内面には前記キャビネット本体の水切り部に当接するパッキンを設け、第２の扉の内面には前記キャビネット本体の水切り部と、前記Ｖ形状に折り曲げた端面に当接するパッキンを設けたことを特徴とする両開き扉を有する電気電子機器収納用キャビネットの防水構造。
【請求項２】
先に閉じる第１の扉と、後から閉じる第２の扉との重なり合う扉端部の構造が、第１の扉端部はキャビネット本体内方向にＶ形状に折り曲げ、又、第２の扉端部は、前記第１の扉端部のＶ形状の内側に折り曲げたことを特徴とする前記請求項１記載の両開き扉を有する電気電子機器収納用キャビネットの防水構造。
【請求項３】
第１の扉端部はキャビネット本体内方向にＶ形状に折り曲げ、キャビネット本体の前面開口部周辺の水切り部を切り欠き、該切り欠き部に前記Ｖ形状に当接するパッキンを装着したことを特徴とする前記請求項１および２に記載の両開き扉を有する電気電子機器収納用キャビネットの防水構造。
【発明の詳細な説明】
【技術分野】
【０００１】
本発明は主として屋外に設置される両開き扉を有する電気電子機器収納用キャビネットの防水構造に関するものである。
【背景技術】
【０００２】
屋外に設置される両開き扉を有する電気電子機器収納用キャビネットの防水構造は、図１０に示すように、キャビネット本体の前面開口部周辺は、断面コの字状の水切り部を折り曲げ形成し、キャビネット本体の前面開口部を覆う両開き扉の、先に閉じる第１の扉２５の端部は、本体の内方向に略コの字形状に折り曲げられ、略コの字形状の上下端には、本体前面開口部周辺の水切り部を覆うように水切り金具２７が設けてあり、略コの字形状の折り曲げと、水切り金具２７とで箱状のくぼみ部２８が構成されている。後から閉じる第２の扉２６の端部に設けられた差込部２９が箱状のくぼみ部２８に挿入する構造が一般的である。
【０００３】
又、特許文献１の請求項２によると、前記水切り金具の替わりに扉面側が高い傾斜面を有する箱状のくぼみ部３０が形成されている。
しかしこのような箱状のくぼみ部３０を構成するには、水切り金具あるいは傾斜面を構成する金具３１の溶接による取付が必要で、又、前記傾斜面に当接するパッキン３２を設けるパッキン取付金具３３（特許文献１では、施錠装置のロッド棒の引っ掛けを兼ねている）が不可欠である、その為に扉の折り曲げや金具の溶接、仕上げ等の加工が複雑になり製作コストが高くなる問題があった。
更に箱状のくぼみ部は雨水の排出が困難で、埃等も堆積しやすく錆の発生原因となっていた。
【０００４】
特許文献１の請求項１によると、左扉と右扉の先端当接部分に設けた左右のパッキンの接触面を傾斜面とし、傾斜面どうしの密着により水切り金具を用いずに、高度の防水性を得ようとしているが、このような構造ではパッキンどうしの密着性が重要であるにも係わらず、キャビネットが大きくなりパッキンが長くなると、施工時のキャビネットの変形や歪み等による密着性のバラツキが生じる。
均一な密着性を得ようとすると、高度なキャビネットの製作が必要となり製作コストが高くなる問題がある。
更にパッキンが表面に露出するため耐候性が劣る等、多々の問題があった。
【特許文献１】特開２００５−１５０２９５号公報
【発明の開示】
【発明が解決しようとする課題】
【０００５】
本発明は上記の従来の問題点を解決して、構造が簡単、安価でありながら、従来よりも高度な防水性能を得ることができる、両開き扉を有する電気電子機器収納用キャビネットの防水構造を提供するためになされたものである。
【課題を解決するための手段】
【０００６】
上記の課題を解決するためになされた第１の発明は、先に閉じる第１の扉端部をキャビネット本体内方向にＶ形状に折り曲げ、キャビネット本体の前面開口部周辺の水切り部は前記Ｖ形状に沿った凹部を成形し、該凹部に前記Ｖ形状に当接するパッキンを装着したことを特徴とするものである。
【０００７】
又、第２の発明では先に閉じる第１の扉端部をキャビネット本体内方向にＶ形状に折り曲げ、後から閉じる第２の扉端部を前記Ｖ形状の内側に折り曲げたことを特徴とするものである。更に、第３の発明では先に閉じる第１の扉端部をキャビネット本体内方向にＶ形状に折り曲げ、キャビネット本体の前面開口部周辺の水切り部を切り欠き、該切り欠き部に前記Ｖ形状に当接するパッキンを装着したことを特徴とするものである。
【発明の効果】
【０００８】
第１の発明によれば、先に閉じる第１の扉端部の上下端には、従来の水切り金具や傾斜面がないので箱状のくぼみ部が構成されない。したがってＶ形状の折り曲げ部は雨水の排水溝の役目を成し、流れ込む雨水は滞ることなくスムーズに排出される。
【０００９】
更に、箱状のくぼみ部を構成するのに必要であった水切り金具や傾斜面を形成する部材が不用となり、後から閉じる第２の扉の端部に必要な差込部も不用となるなど、曲げ加工の減少と、水切り金具や傾斜面を形成する部材も必要なくなり、したがって溶接作業も不用となり、構造が大幅に簡素化でき、構造が簡単で安価な防水性能の高いキャビネットを提供することができるようになった。
又、第１及び第２の扉の先端当接部に設ける傾斜面を備えたパッキンが不要となるので、パッキンの劣化がなくなり、キャビネットの耐久性が向上する。
【００１０】
第２の発明によれば、後から閉じる第２の扉端部を、先に閉じる第１の扉端部のＶ形状の内側に折り曲げることで、第２の扉の強度が得られるとともに、風雨に曝され錆が発生しやすい端面を内部に隠すことにより、防錆効果を得ることができ、キャビネットの耐久性が向上する効果がある。
第３の発明によれば、キャビネット本体の前面開口部周辺の水切り部を、先に閉じる第１の扉端部のＶ形状に沿った凹部を成形する必要がないので、より簡単な構造で高度な防水効果が得られる。
【発明を実施するための最良の形態】
【００１１】
以下、本発明の好ましい実施の形態について説明する。
本発明の第１の実施の形態を図１〜図４で説明する。
先に閉じる第１の扉１と、後から閉じる第２の扉２を有し、これらの扉とキャビネット本体３とは、それぞれ蝶番４により蝶着されて両開き扉を有するキャビネットを構成する。
又、キャビネット本体３の前記扉１及び２とで覆われる前面開口部の周辺は、断面コの字状の水切り部５を形成し雨水の浸入を防ぐ構造になっている。
先に閉じる第１の扉と、後から閉じる第２の扉との重なり合う扉端部の構造は、第１の扉端部はキャビネット本体内方向に折り曲げ、折り曲げ片６及び７でＶ形状の排水溝８を形成している。
【００１２】
排水溝８と重なり合うキャビネット本体３の前面開口部の上下水切り部５には、前記排水溝８に沿った凹部９が水切り部５のパッキン当接面１０が連続して成るように成形されている。尚、本発明ではパッキン当接面１０は連続した成形にしているが、溶接等による別部品でパッキン当接面１０を連続した凹部９としても効果は同じである。
【００１３】
又、凹部９には排水溝８のＶ形状に当接するパッキン１１が装着されている。
更に先に閉じる第１の扉の内面には、水切り部５のパッキン当接面１０に当接するようにパッキン１２が設けられている。後から閉じる第２の扉の内面には、水切り部５のパッキン当接面１０に当接するパッキン１３と、折り曲げ片７の端面１４に当接するパッキン１５が設けられている。尚パッキン１３と１５は一体のものでもよい。
【００１４】
即ち、上記構成による第１の実施の形態では、先に閉じた第１の扉はＶ形状の排水溝８に当接するパッキン１１と水切り部５のパッキン当接面１０に当接するように扉の内側に設けたパッキン１２により密着される。更に後から閉じる第２の扉は、第１の扉の折り曲げ片７の端面１４に当接するパッキン１５と、水切り部５のパッキン当接面１０に当接するように扉の内側に設けたパッキン１３により密着される。尚、パッキン１１とパッキン１２は一体として、第１の扉の内面に設けてもよい、更には、キャビネット本体３の水切り部５のパッキン当接面１０及び凹部９に連続するようにパッキンを設けてもよい。
【００１５】
更に排水溝８の上下端には、従来のような水切り金具や傾斜面を形成する部材がないので、流れ込む雨水を滞ることなくスムーズに排出させる排水溝の効果がある。
又、第１及び第２の扉の上下端は、キャビネット本体方向に折り曲げた折り曲げ片１６ａ、１６ｂが形成され、下端の折り曲げ片１６ｂには排水溝８から排出された雨水を逃がす排水孔１７が設けてある。
【００１６】
本発明の第２の実施の形態を図５〜図６で説明する。
先に閉じる第１の扉と、後から閉じる第２の扉との重なり合う扉端部において、第２の扉端部は、前記Ｖ形状の排水溝８の内方向に折り曲げ片１８を形成する。該折り曲げ片１８により第２の扉の強度を得るとともに、端面１９を排水溝８の内方向に折り曲げることにより、錆びやすい端面１９が直接風雨に曝されることなく、防錆効果が得られ耐久性が向上する効果がある。尚、折り曲げ片１８は図６に示すように第２の扉面と平行になるような折り曲げ片２０としても効果は同じである。
【００１７】
本発明の第３の実施の形態を図７〜図９で説明する。
Ｖ形状の排水溝８と重なり合うキャビネット本体３の前面開口部の上下水切り部５に切り欠き２１を施し、該切り欠き２１には排水溝８に当接するＶ面２２を有するパッキン２３を装着する。即ち第１の扉１を閉じることにより、排水溝８のＶ形状面がパッキン２３のＶ面２２に当接し、クサビ状に押し圧が働きパッキン２３の各面が密着状態となり、防水効果を得ることができる。
【００１８】
尚、切り欠き２１は図７に示すように水切り部５の立ち上がり面２４の一部でも、図８に示すように立ち上がり面２４すべてを切り欠きしてもよい。又、切り欠き形状もＶ形状や四角形状が考えられるが、パッキン２３が切り欠き形状に合わせた四角形状でもやはりクサビ作用により、パッキン外面四方に押し圧Ｐが働き、密着状態となるので防水効果は変わらない。
【図面の簡単な説明】
【００１９】
【図１】本発明の第１の実施形態を示したキャビネットの横断面図である。
【図２】本発明の第１の実施形態を示したキャビネット全体の斜視図である。
【図３】本発明の第１の実施形態を示したキャビネットの縦断面図である。
【図４】本発明の第１の実施形態を示した本体水切り部の部分断面斜視図である。
【図５】本発明の第２の実施形態の第１実施例を示す横断面の部分図である。
【図６】本発明の第２の実施形態の第２実施例を示す横断面の部分図である。
【図７】本発明の第３の実施形態の第１実施例を示す本体水切り部の部分断面斜視図である。
【図８】本発明の第３の実施形態の第２実施例を示す本体水切り部の部分断面斜視図である。
【図９】本発明の第３の実施の形態の実施例を示す横断面の部分図である。
【図１０】従来例を示す部分斜視図である。
【図１１】特許文献１の実施の形態図である。
【符号の説明】
【００２０】
１  第１の扉
２  第２の扉
３  キャビネット本体
４  蝶番
５  水切り部
６  折り曲げ片
７  折り曲げ片
８  排水溝
９  凹部
１０  パッキン当接面
１１  パッキン
１２  パッキン
１３  パッキン
１４  端面
１５  パッキン
１６ａ  折り曲げ片
１６ｂ  折り曲げ片
１７  排水孔
１８  折り曲げ片
１９  端面
２０  折り曲げ片
２１  切り欠き
２２  Ｖ面
２３  パッキン
２４  立ち上がり面
２５  従来例における第１の扉
２６  従来例における第２の扉
２７  水切り金具
２８  箱状のくぼみ部
２９  差込部
３０  特許文献１の請求項２による箱状のくぼみ部
３１  金具
３２  パッキン
３３  パッキン取付金具
Ｐ    押し圧
【図１】
2008034763.tif 000003
【図２】
2008034763.tif 000004
【図３】
2008034763.tif 000005
【図４】
2008034763.tif 000006
【図５】
2008034763.tif 000007
【図６】
2008034763.tif 000008
【図７】
2008034763.tif 000009
【図８】
2008034763.tif 000010
【図９】
2008034763.tif 000011
【図１０】
2008034763.tif 000012
【図１１】
2008034763.tif 000013